(57)【要約】【課題】トレイ上に載置したディスクカートリッジの有無を迅速且つ信頼性良く確実に検出する。【解決手段】トレイ１２上にＢＤを収納したディスクカートリッジＤＣＡを少なくとも載置して、トレイホルダー２６に沿って外装筐体１１の前方に突出した光ディスク挿脱位置と、外装筐体１１内に設定した光ディスク記録再生位置との間を往復動させる際に、トレイ１２上に載置したディスクカートリッジＤＣＡの有無を検出するディスクカートリッジ有無検出手段３０は、トレイ１２上にディスクカートリッジＤＣＡが載置された場合にディスクカートリッジＤＣＡに当接する検出レバー３２と、この検出レバー３２の動きを検出してディスクカートリッジＤＣＡの有無を検出する検出器３１とを、上シャーシ２５及びトレイホルダー２６の少なくとも一方に取り付けたことを特徴とする光ディスク装置１０を提供する。【選択図】図４
2008299947.tif 000002
【特許請求の範囲】
【請求項１】
筐体と、
前記筐体内に設けた第１のシャーシに取り付けられた光ディスク回転駆動手段と、
前記第１のシャーシに光ディスクと対向して移動可能に取り付けられ、前記光ディスクに対して記録又は再生する光ピックアップと、
前記第１のシャーシと、該第１のシャーシに対向して間隔を離して設けた第２のシャーシとの間に取り付けられたトレイホルダーと、
前記光ディスクを収納したディスクカートリッジを少なくとも載置可能として、前記トレイホルダーに沿って前記筐体の前方に突出した光ディスク挿脱位置と、前記筐体内に設定した光ディスク記録再生位置との間を往復動するトレイと、
前記トレイ上に載置した前記ディスクカートリッジの有無を検出するディスクカートリッジ有無検出手段と、を備え、
前記ディスクカートリッジ有無検出手段は、前記トレイ上に前記ディスクカートリッジが載置された場合に該ディスクカートリッジに当接する検出レバーと、この検出レバーの動きを検出して前記ディスクカートリッジの有無を検出する検出器とを、前記第２のシャーシ及び前記トレイホルダーの少なくとも一方に取り付けたことを特徴とする光ディスク装置。
【請求項２】
筐体と、
前記筐体内に設けた第１のシャーシに取り付けられた光ディスク回転駆動手段と、
前記第１のシャーシに記録密度が高い第１の光ディスクと対向して移動可能に取り付けられ、前記第１の光ディスクに対して記録又は再生する第１の光ピックアップと、
前記第１のシャーシに前記第１の光ディスクよりも記録密度が低い第２の光ディスクと対向して移動可能に取り付けられ、前記第２の光ディスクに対して記録又は再生する第２の光ピックアップと、
前記第１のシャーシと、該第１のシャーシに対向して間隔を離して設けた第２のシャーシとの間に取り付けられたトレイホルダーと、
前記第１の光ディスクを収納したディスクカートリッジと、裸の前記第２の光ディスクとを選択的に載置して、前記トレイホルダーに沿って前記筐体の前方に突出した光ディスク挿脱位置と、前記筐体内で前記第１又は第２の光ディスクの中心が前記光ディスク回転駆動手段の上方に位置するように水平移動した後に該光ディスク回転駆動手段の近傍まで下降した光ディスク記録再生位置との間を往復動するトレイと、
前記トレイ上に載置した前記ディスクカートリッジの有無を検出するディスクカートリッジ有無検出手段と、を備え、
前記ディスクカートリッジ有無検出手段は、前記トレイ上に前記ディスクカートリッジが載置された場合に該ディスクカートリッジに当接する検出レバーと、この検出レバーの動きを検出して前記ディスクカートリッジの有無を検出する検出器とを、前記第２のシャーシ及び前記トレイホルダーの少なくとも一方に取り付けたことを特徴とする光ディスク装置。
【請求項３】
前記第１の光ピックアップを初期時に前記第１の光ディスクの内周側に待機させる一方、前記第２の光ピックアップを初期時に前記第２の光ディスクの外周よりも外側に退避させ、且つ、前記第２の光ディスクを載置した前記トレイが前記筐体内を水平移動している際中に該第２の光ピックアップを該第２の光ディスクの内周側に移動させることを特徴とする請求項２記載の光ディスク装置。
【発明の詳細な説明】
【技術分野】
【０００１】
本発明は、筐体の前方に突出した光ディスク挿脱位置と、筐体内に設定した光ディスク記録再生位置との間を往復動する一のトレイ上に、Ｂｌｕ−ｒａｙ  Ｄｉｓｃなどの超高密度光ディスクを収納したディスクカートリッジと、ＤＶＤ又はＣＤなどの裸の光ディスクとを選択的に載置できる光ディスク装置に関するものである。
【背景技術】
【０００２】
一般的に、円盤状の光ディスクは、映像情報とか音声情報やコンピュータデータなどの情報信号を透明基板上で螺旋状又は同心円状に形成したトラックに高密度に記録し、且つ、記録済みのトラックを再生する際に所望のトラックを高速にアクセスできることから多用されている。
【０００３】
この種の光ディスクとして、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）などは既に市販され、最近では、より一層高密度化を図った超高密度光ディスクの一種であるＢｌｕ−ｒａｙ  Ｄｉｓｃ（以下、ＢＤと記す）が流通している。
【０００４】
まず、上記したＣＤは、波長が７８０ｎｍ前後のレーザ光を開口数（ＮＡ）が０．４５〜０．５程度の対物レンズで絞って得たレーザビームを照射して、レーザビーム入射面から１．２ｍｍ隔てた位置にある信号面に情報信号が記録され、記録済みの情報信号を再生している。
【０００５】
また、上記したＤＶＤは、波長が６５０ｎｍ前後のレーザ光を開口数（ＮＡ）が０．６から０．６５程度の対物レンズで絞って得たレーザビームを照射して、レーザビーム入射面から０．６ｍｍ隔てた位置にある信号面に情報信号が記録され、記録済みの情報信号を再生している。この際、ＤＶＤの記録容量はＣＤよりも６〜８倍程度高めてディスク基板の直径が１２ｃｍの時に片面で４．７ＧＢ（ギガバイト）程度である。
【０００６】
また、上記したＢＤ（Ｂｌｕ−ｒａｙ  Ｄｉｓｃ）は、波長が４０５ｎｍ前後のレーザ光を開口数（ＮＡ）が０．８５程度の対物レンズで絞って得たレーザビームを照射して、レーザビーム入射面から０．１ｍｍ隔てた位置にある信号面に情報信号が記録され、記録済みの情報信号を再生している。この際、Ｂｌｕ−ｒａｙ  Ｄｉｓｃの記録容量はＤＶＤよりも５倍程度高めてディスク基板の直径が１２ｃｍの時に片面で２５ＧＢ（ギガバイト）程度である。
【０００７】
そして、上記のような複数種の光ディスクに対して選択的に記録又は再生をする従来の光ディスク装置の一例（従来例１）として、ＢＤを収納したディスクカートリッジを載置するためのＢＤ側のトレイと、裸のＤＶＤ又はＣＤを載置するためのＤＶＤ／ＣＤ側のトレイとを備えたものがある（例えば、特許文献１参照）。
【０００８】
【特許文献１】特開２００６−２４４６６３号公報。
【０００９】
図１３は従来例１の光ディスク装置を示した外観斜視図である。
【００１０】
図１３に示した従来例１の光ディスク装置１００は、上記した特許文献１（特開２００６−２４４６６３号公報）に開示されているものであり、ここでは特許文献１を参照して簡略に説明する。
【００１１】
図１３に示した如く、従来例１の光ディスク装置１００では、外装筐体１０１の前面１０１ａ側に第１，第２開口部１０１ａ１，１０１ａ２が形成されており、且つ、記録密度が高いＢＤを収納したディスクカートリッジＤＣＡを載置するための第１トレイ１０２が第１開口部１０１ａ１に対して矢印Ｘ１，Ｘ２方向に排出／挿入可能に設けられている一方、ＢＤよりも記録密度が低いＤＶＤ又はＣＤなどの裸の光ディスクＤを載置するための第２トレイ１０３が第２開口部１０１ａ２に対して矢印Ｘ１，Ｘ２方向に排出／挿入可能に設けられている。
【００１２】
そして、外装筐体１０１の前方に突出した光ディスク挿脱位置で第１トレイ１０２上にディスクカートリッジＤＣＡを載置して、第１トレイ１０２と一体にディスクカートリッジＤＣＡを外装筐体１０１内に設定した光ディスク記録再生位置まで移動した後に、ディスクカートリッジＤＣＡ内に収納したＢＤを外装筐体１０１内に回転自在に設けた第１ターンテーブル１０４上に装着して、このＢＤに対してＢＤ用光ピックアップ１０５により記録又は再生している。
【００１３】
一方、外装筐体１０１の前方に突出した光ディスク挿脱位置で第２トレイ１０３上に裸の光ディスクＤを載置して、第２トレイ１０３と一体に裸の光ディスクＤを外装筐体１０１内に設定した光ディスク記録再生位置まで移動した後に、裸の光ディスクＤを外装筐体１０１内に回転自在に設けた第２ターンテーブル１０６上に装着して、この裸の光ディスクＤに対してＤＶＤ／ＣＤ兼用ピックアップ１０７により記録又は再生している。
【００１４】
また、従来の光ディスク装置の他例（従来例２）として、一のトレイ上に、ＢＤなどの超高密度光ディスクを収納したディスクカートリッジと、ＤＶＤ又はＣＤなどの裸の光ディスクとを選択的に載置できるように構成した光ディスク装置もある。
【００１５】
図１４は従来例２の光ディスク装置を示した外観斜視図、
図１５は従来例２の光ディスク装置において、外装筐体の前面側に突出したトレイ上にＢＤを収納したディスクカートリッジを載置した第１態様を示した図、
図１６は従来例２の光ディスク装置において、トレイ上に載置したディスクカートリッジ内のＢＤの中心が外装筐体内に設けたターンテーブルの上方に位置するようにトレイを水平移動した第２態様を示した図、
図１７は従来例２の光ディスク装置において、ＢＤを収納したディスクカートリッジを載置したトレイをターンテーブルの近傍まで下降させた後にＢＤをターンテーブル上に装着して、ＢＤに対してＢＤ用光ピックアップにより記録又は再生する第３態様を示した図、
図１８は従来例２の光ディスク装置において、外装筐体の前面側に突出したトレイ上にＤＶＤ又はＣＤなどの裸の光ディスクを載置した第４態様を示した図、
図１９は従来例２の光ディスク装置において、トレイ上に載置したＤＶＤ又はＣＤなどの裸の光ディスクの中心が外装筐体内に設けたターンテーブルの上方に位置するようにトレイを水平移動した第５態様を示した図、
図２０は従来例２の光ディスク装置において、ＤＶＤ又はＣＤなどの裸の光ディスクを載置したトレイをターンテーブルの近傍まで下降させた後に裸の光ディスクをターンテーブル上に装着して、裸の光ディスクに対してＤＶＤ／ＣＤ兼用光ピックアップにより記録又は再生する第６態様を示した図である。
【００１６】
図１４に示した如く、従来例２の光ディスク装置２００では、外装筐体２０１の前面２０１ａ側に一の開口部２０１ａ１が形成されており、且つ、ＢＤなどの超高密度光ディスクを収納したディスクカートリッジＤＣＡと、ＤＶＤ又はＣＤなどの裸の光ディスクＤとを選択的に載置するための一のトレイ２０２が不図示のローディングモータの駆動力により一の開口部２０１ａ１に対して矢印Ｘ１，Ｘ２方向に排出／挿入可能に設けられている。
【００１７】
尚、ディスクカートリッジＤＣＡには、不使用時にＢＤを保護するように閉蓋する一方、使用時にＢＤが露出するよう開蓋するシャッタＳＴが設けられている。
【００１８】
この際、上記したトレイ２０２は、前側板部２０２ａと左右の側板部２０２ｂ，２０２ｃとで囲まれた内部上面にディスクカートリッジＤＣＡと裸の光ディスクＤとを選択的に載置する載置部２０２ｄが形成されていると共に、載置部２０２ｄの内部中央部位に長孔部２０２ｅが矢印Ｘ１，Ｘ２方向に沿って貫通して形成されている。
【００１９】
また、図１５〜図２０に示した従来例２の光ディスク装置２００において、外装筐体２０１（図１４）内に設けたシャーシ２０３上にはスピンドルモータ２０４が取り付けられており、このスピンドルモータ２０４のモータ軸にターンテーブル２０５が回転可能に固着されている。
【００２０】
また、シャーシ２０３上には、ディスクカートリッジ有無検出機構２０６が取り付けられている。このディスクカートリッジ有無検出機構２０６は、シャーシ２０３上に取り付けたディスクカートリッジ検出用スイッチ２０７と、このディスクカートリッジ検出用スイッチ２０７に対して上下動可能に取り付けられたスイッチノブ２０８とからなり、トレイ２０２上に載置したディスクカートリッジＤＣＡの下面にスイッチノブ２０８が当接して下降した時にディスクカートリッジＤＣＡが有ることをディスクカートリッジ検出用スイッチ２０７で検出できるようになっている。
【００２１】
また、シャーシ２０３の上方には、ディスクカートリッジＤＣＡ内に収納したＢＤを記録又は再生するためのＢＤ用光ピックアップ２０９と、ＤＶＤ又はＣＤなどの裸の光ディスクＤを記録又は再生するためのＤＶＤ／ＣＤ兼用光ピックアップ２１０とが、スピンドルモータ２０４を挟んで各光ディスクの径方向に移動自在に設けられている。
【００２２】
更に、上記したトレイ２０２は、外装筐体２０１の前面２０１ａ（図１４）の前方に突出した光ディスク挿脱位置と、外装筐体２０１内に設けたターンテーブル２０５の上方位置との間を矢印Ｘ１，Ｘ２方向（図１５，図１８）に水平移動可能になっていると共に、ターンテーブル２０５の上方位置とターンテーブル２０５に接近した光ディスク記録再生位置との間を矢印Ｙ１，Ｙ２方向（図１５，図１８）に上下動可能になっている。
【００２３】
この際、上記したトレイ２０２は、水平移動時にターンテーブル２０５との衝突を避けるためにトレイ２０２の前側板部２０２ａと反対側の後端側の下面を肉抜きした肉抜き部２０２ｆが形成されてこの肉抜き部２０２ｆ内にターンテーブル２０５の進入を許容すると共に、この肉抜き部２０２ｆの上面に薄肉部２０２ｇが形成され、且つ、前側板部２０２ａと後端側との間に形成した長孔部２０２ｅ内にターンテーブル２０５，スイッチノブ２０８，ＢＤ用光ピックアップ２０９，ＤＶＤ／ＣＤ兼用光ピックアップ２１０がそれぞれ進入可能になっている。
【００２４】
そして、ディスクカートリッジＤＣＡ内に収納したＢＤに対してＢＤ用光ピックアップ２０９により記録又は再生する場合には、図１５に示した如く、トレイ２０２を矢印Ｘ１方向に水平移動して外装筐体２０１の前面２０１ａ（図１４）の前方に突出させた後に、この光ディスク挿脱位置でディスクカートリッジＤＣＡをトレイ２０２の載置部２０２ｄ上に載置している。
【００２５】
この際、シャーシ２０３上に取り付けたディスクカートリッジ有無検出機構２０６のスイッチノブ２０８は、水平移動可能状態であるトレイ１２の下面近傍まで上昇している。
【００２６】
この後、図１６に示した如く、ディスクカートリッジＤＣＡ内に収納したＢＤ（図１４）の中心がターンテーブル２０５の上方に位置するようにディスクカートリッジＤＣＡを載置したトレイ２０２を矢印Ｘ２方向に水平移動する。ここでも、ディスクカートリッジ有無検出機構２０６のスイッチノブ２０８は、水平移動中のトレイ１２の下面近傍まで上昇している。
【００２７】
更にこの後、図１７に示した如く、ディスクカートリッジＤＣＡを載置したトレイ２０２をターンテーブル２０５の近傍まで矢印Ｙ２方向に下降させると共に、ディスクカートリッジＤＣＡに設けたシャッタＳＴ（図１４）を開いて、ディスクカートリッジＤＣＡ内に収納したＢＤをターンテーブル２０５上に装着している。また、トレイ２０２がターンテーブル２０５に接近した光ディスク記録再生位置に至った時に、トレイ２０２の長孔部２０２ｅ内に臨んだスイッチノブ２０８がディスクカートリッジＤＣＡの下面に当接して実線矢印方向に下動するので、ディスクカートリッジ検出用スイッチ２０７でディスクカートリッジ有りを検出している。
【００２８】
更に、トレイ２０２がターンテーブル２０５に接近した光ディスク記録再生位置に至った時に、トレイ２０２の長孔部２０２ｅ内に臨んだＢＤ用光ピックアップ２０９は初期時にＢＤの内周側に待機しているで、このＢＤ用光ピックアップ２０９によりＢＤの下面側の信号面を直ちに記録又は再生できるものの、ＤＶＤ／ＣＤ兼用光ピックアップ２１０がトレイ２０２の長孔部２０２ｅ内に臨んでいるとディスクカートリッジＤＣＡの下面にＤＶＤ／ＣＤ兼用光ピックアップ２１０が当接してしまうので、初期時にはＤＶＤ／ＣＤ兼用光ピックアップ２１０をディスクカートリッジＤＣＡに衝突しないようにトレイ２０２から離れて二点鎖線矢印で示した左方に予め退避させている。
【００２９】
一方、ＤＶＤ又はＣＤなどの裸の光ディスクＤに対してＤＶＤ／ＣＤ兼用光ピックアップ２１０により記録又は再生する場合には、図１８に示した如く、トレイ２０２を矢印Ｘ１方向に水平移動して外装筐体２０１の前面２０１ａ（図１４）の前方に突出させた後に、この位置で裸の光ディスクＤをトレイ２０２の載置部２０２ｄ上に載置している。この際、シャーシ２０３上に取り付けたディスクカートリッジ有無検出機構２０６のスイッチノブ２０８は、水平移動可能状態であるトレイ１２の下面近傍まで上昇している。
【００３０】
この後、図１９に示した如く、裸の光ディスクＤの中心がターンテーブル２０５の上方に位置するように裸の光ディスクＤを載置したトレイ２０２を矢印Ｘ２方向に水平移動する。ここでも、ディスクカートリッジ有無検出機構２０６のスイッチノブ２０８は、水平移動中のトレイ１２の下面近傍まで上昇している。
【００３１】
更にこの後、図２０に示した如く、裸の光ディスクＤを載置したトレイ２０２をターンテーブル２０５の近傍まで矢印Ｙ２方向に下降させて、裸の光ディスクＤをトレイ２０２の載置部２０２ｄ上から浮かせてターンテーブル２０５上に装着している。また、トレイ２０２がターンテーブル２０５に接近した光ディスク記録再生位置に至った時に、トレイ２０２の長孔部２０２ｅ内に臨んだスイッチノブ２０８と裸の光ディスクＤの下面との間に隙間Ｓが生じているのでスイッチノブ２０８は下動しないためにディスクカートリッジ検出用スイッチ２０７はディスクカートリッジ無しのＯＦＦ状態を保っている。
【００３２】
更に、トレイ２０２がターンテーブル２０５に接近した光ディスク記録再生位置に至った時に、トレイ２０２の左方に退避しているＤＶＤ／ＣＤ兼用光ピックアップ２１０をトレイ２０２の長孔部２０２ｅ内に臨むように実線矢印に示した方向に向かって裸の光ディスクＤの内周側に移動させた後に、ＤＶＤ／ＣＤ兼用光ピックアップ２１０により裸の光ディスクＤに対して記録又は再生している。
【発明の開示】
【発明が解決しようとする課題】
【００３３】
ところで、従来例１の光ディスク装置１００によれば、前述したように、ＢＤを収納したディスクカートリッジＤＣＡを載置するための第１トレイ１０２と、裸の光ディスクＤを載置するための第２トレイ１０３と、これら２つの第１，第２トレイ１０２，１０３を駆動するための２つのトレイ駆動機構とを設けなければならないために、従来例１の光ディスク装置１００が高価なものとなってしまう。
【００３４】
一方、上記した従来例２の光ディスク装置２００では、一のトレイ２０２上に、ＢＤを収納したディスクカートリッジＤＣＡと、ＤＶＤ又はＣＤなどの裸の光ディスクＤとを選択的に載置できるために、従来例１の光ディスク装置１００に対する問題点を解決できるものの、新たな問題点が生じている。
【００３５】
即ち、従来例２の光ディスク装置２００において生じた新たな問題点は、前述したように、一のトレイ２０２が外装筐体２０１内を水平移動した後に下降してターンテーブル２０５に接近した光ディスク記録再生位置に至った時に、ディスクカートリッジ有無検出機構２０６を構成するスイッチノブ２０８とディスクカートリッジ検出用スイッチ２０７とにより、トレイ２０２上にディスクカートリッジＤＣＡが有るか否かを検出しているので、ディスクカートリッジＤＣＡ内に収納したＢＤに対して記録開始又は再生開始する場合にはトレイ２０２の下降後にＢＤ用光ピックアップ２０９を直ちに動作させることができるものの、裸の光ディスクＤに対して記録又は再生する場合にはトレイ２０２が下降した後にトレイ２０２の左方に退避しているＤＶＤ／ＣＤ兼用光ピックアップ２１０を裸の光ディスクＤの内周側に移動させなければならないために、裸の光ディスクＤを記録開始又は再生開始するタイミングがディスクカートリッジＤＣＡ内に収納したＢＤに比べて遅くなってしまう。
【００３６】
更に、ここでの図示を省略するものの、移動自在な一のトレイ２０２上にディスクカートリッジ有無検出機構を取り付ければディスクカートリッジＤＣＡの有無を迅速に検出できると考えられるものの、この場合にはディスクカートリッジ有無検出機構中の検出器に対する配線が面倒であり、且つ、トレイ２０２の移動中に断線が生じ易く、信頼性の点で問題である。
【００３７】
そこで、筐体の前方に突出した光ディスク挿脱位置と、筐体内に設定した光ディスク記録再生位置との間を往復動する一のトレイ上に、ＢＤなどの光ディスクを収納したディスクカートリッジと、ＤＶＤ又はＣＤなどの裸の光ディスクとを選択的に載置できるように光ディスク装置を構成した場合に、トレイが筐体内を水平移動した後に下降してターンテーブルに接近した光ディスク記録再生位置に至った後に、ディスクカートリッジ内に収納したＢＤに対してＢＤ用光ピックアップを直ちに動作開始させることができると共に、裸の光ディスクに対してＤＶＤ／ＣＤ兼用光ピックアップを直ちに動作開始させることができる光ディスク装置が望まれている。
更に、一のトレイ上にディスクカートリッジが有るか否かを迅速且つ信頼性良く確実に検出できる光ディスク装置が望まれている。
【課題を解決するための手段】
【００３８】
本発明は上記課題に鑑みてなされたものであり、請求項１記載の発明は、筐体と、
前記筐体内に設けた第１のシャーシに取り付けられた光ディスク回転駆動手段と、
前記第１のシャーシに光ディスクと対向して移動可能に取り付けられ、前記光ディスクに対して記録又は再生する光ピックアップと、
前記第１のシャーシと、該第１のシャーシに対向して間隔を離して設けた第２のシャーシとの間に取り付けられたトレイホルダーと、
前記光ディスクを収納したディスクカートリッジを少なくとも載置可能として、前記トレイホルダーに沿って前記筐体の前方に突出した光ディスク挿脱位置と、前記筐体内に設定した光ディスク記録再生位置との間を往復動するトレイと、
前記トレイ上に載置した前記ディスクカートリッジの有無を検出するディスクカートリッジ有無検出手段と、を備え、
前記ディスクカートリッジ有無検出手段は、前記トレイ上に前記ディスクカートリッジが載置された場合に該ディスクカートリッジに当接する検出レバーと、この検出レバーの動きを検出して前記ディスクカートリッジの有無を検出する検出器とを、前記第２のシャーシ及び前記トレイホルダーの少なくとも一方に取り付けたことを特徴とする光ディスク装置である。
【００３９】
また、請求項２記載の発明は、筐体と、
前記筐体内に設けた第１のシャーシに取り付けられた光ディスク回転駆動手段と、
前記第１のシャーシに記録密度が高い第１の光ディスクと対向して移動可能に取り付けられ、前記第１の光ディスクに対して記録又は再生する第１の光ピックアップと、
前記第１のシャーシに前記第１の光ディスクよりも記録密度が低い第２の光ディスクと対向して移動可能に取り付けられ、前記第２の光ディスクに対して記録又は再生する第２の光ピックアップと、
前記第１のシャーシと、該第１のシャーシに対向して間隔を離して設けた第２のシャーシとの間に取り付けられたトレイホルダーと、
前記第１の光ディスクを収納したディスクカートリッジと、裸の前記第２の光ディスクとを選択的に載置して、前記トレイホルダーに沿って前記筐体の前方に突出した光ディスク挿脱位置と、前記筐体内で前記第１又は第２の光ディスクの中心が前記光ディスク回転駆動手段の上方に位置するように水平移動した後に該光ディスク回転駆動手段の近傍まで下降した光ディスク記録再生位置との間を往復動するトレイと、
前記トレイ上に載置した前記ディスクカートリッジの有無を検出するディスクカートリッジ有無検出手段と、を備え、
前記ディスクカートリッジ有無検出手段は、前記トレイ上に前記ディスクカートリッジが載置された場合に該ディスクカートリッジに当接する検出レバーと、この検出レバーの動きを検出して前記ディスクカートリッジの有無を検出する検出器とを、前記第２のシャーシ及び前記トレイホルダーの少なくとも一方に取り付けたことを特徴とする光ディスク装置である。
【００４０】
更に、請求項３記載の発明は、前記第１の光ピックアップを初期時に前記第１の光ディスクの内周側に待機させる一方、前記第２の光ピックアップを初期時に前記第２の光ディスクの外周よりも外側に退避させ、且つ、前記第２の光ディスクを載置した前記トレイが前記筐体内を水平移動している際中に該第２の光ピックアップを該第２の光ディスクの内周側に移動させることを特徴とする請求項２記載の光ディスク装置である。
【発明の効果】
【００４１】
請求項１記載の光ディスク装置によると、トレイ上に光ディスクを収納したディスクカートリッジを少なくとも載置して、トレイホルダーに沿って筐体の前方に突出した光ディスク挿脱位置と、筐体内に設定した光ディスク記録再生位置との間を往復動させる際に、トレイ上に載置したディスクカートリッジの有無を検出するディスクカートリッジ有無検出手段は、トレイ上にディスクカートリッジが載置された場合にディスクカートリッジに当接する検出レバーと、この検出レバーの動きを検出してディスクカートリッジの有無を検出する検出器とを、第２のシャーシ及びトレイホルダーの少なくとも一方に取り付けたために、トレイ上に載置したディスクカートリッジの有無を迅速且つ信頼性良く確実に検出することができる。
【００４２】
また、請求項２記載の光ディスク装置によると、トレイ上に記録密度が高い第１の光ディスクを収納したディスクカートリッジと、第１の光ディスクよりも記録が低い裸の第２の光ディスクとを選択的に載置して、トレイホルダーに沿って筐体の前方に突出した光ディスク挿脱位置と、筐体内で第１又は第２の光ディスクの中心が光ディスク回転駆動手段の上方に位置するように水平移動した後に光ディスク回転駆動手段の近傍まで下降した光ディスク記録再生位置との間を往復動させる際に、トレイ上に載置したディスクカートリッジの有無を検出するディスクカートリッジ有無検出手段は、トレイ上にディスクカートリッジが載置された場合にディスクカートリッジに当接する検出レバーと、この検出レバーの動きを検出してディスクカートリッジの有無を検出する検出器とを、第２のシャーシ及びトレイホルダーの少なくとも一方に取り付けたために、トレイ上に載置したディスクカートリッジの有無を迅速且つ信頼性良く確実に検出することができると共に、複数種の光ディスクに対して記録又は再生できるので使用勝手の良い光ディスク装置を提供できる。
【００４３】
更に、請求項３記載の光ディスク装置によると、第１の光ディスクを記録又は再生する第１の光ピックアップを初期時に第１の光ディスクの内周側に待機させる一方、第２の光ディスクを記録又は再生する第２の光ピックアップを初期時に第２の光ディスクの外周よりも外側に退避させ、且つ、第２の光ディスクを載置したトレイが筐体内を水平移動している際中に第２の光ピックアップを第２の光ディスクの内周側に移動させているので、上記した請求項２記載の効果が得られる他に、トレイが筐体内を水平移動した後に下降してターンテーブルに接近した光ディスク記録再生位置に至った後に、ディスクカートリッジ内に収納した第１の光ディスクに対して第１の光ピックアップを直ちに動作開始させることができると共に、裸の第２の光ディスクに対して第２の光ピックアップを直ちに動作開始させることができるので、操作性能の良い光ディスク装置を提供することができる。
【発明を実施するための最良の形態】
【００４４】
以下に本発明に係る光ディスク装置の一実施例について図１〜図１２を参照して詳細に説明する。
【実施例】
【００４５】
図１は本発明に係る光ディスク装置を示した外観斜視図、
図２は本発明に係る光ディスク装置において、下シャーシ側を裏面から見た斜視図、
図３（ａ），（ｂ）はＢＤを収納したディスクカートリッジと、ＤＶＤ又はＣＤなどの裸の光ディスクとをトレイ上にそれぞれ載置した状態を示した斜視図、
図４は本発明に係る光ディスク装置において、外装筐体の前面側に突出したトレイ上にＢＤを収納したディスクカートリッジを載置した第１態様を示した図、
図５は本発明に係る光ディスク装置において、ＢＤを収納したディスクカートリッジを載置したトレイを外装筐体内で矢印Ｘ２方向に水平移動した時に、ディスクカートリッジの先端にディスクカートリッジ有無検出機構の検出レバーが当接開始した第２態様を示した図、
図６は本発明に係る光ディスク装置において、ＢＤを収納したディスクカートリッジを載置したトレイを外装筐体内で矢印Ｘ２方向に更に水平移動した時に、ディスクカートリッジの上面にディスクカートリッジ有無検出機構の検出レバーが当接している第３態様を示した図、
図７は本発明に係る光ディスク装置において、トレイ上に載置したディスクカートリッジ内のＢＤの中心が外装筐体内に設けたターンテーブルの上方に位置するようにトレイを水平移動した第４態様を示した図、
図８は本発明に係る光ディスク装置において、ＢＤを収納したディスクカートリッジを載置したトレイをターンテーブルの近傍まで下降させた後にＢＤをターンテーブル上に装着して、ＢＤに対してＢＤ用光ピックアップにより記録又は再生する第５態様を示した図、
図９は本発明に係る光ディスク装置において、外装筐体の前面側に突出したトレイ上にＤＶＤ又はＣＤなどの裸の光ディスクを載置した第６態様を示した図、
図１０は本発明に係る光ディスク装置において、トレイ上に載置したＤＶＤ又はＣＤなどの裸の光ディスクの中心が外装筐体内に設けたターンテーブルの上方に位置するようにトレイを水平移動した第７態様を示した図、
図１１は本発明に係る光ディスク装置において、ＤＶＤ又はＣＤなどの裸の光ディスクを載置したトレイをターンテーブルの近傍まで下降させた後に裸の光ディスクをターンテーブル上に装着して、裸の光ディスクに対してＤＶＤ／ＣＤ兼用光ピックアップにより記録又は再生する第８態様を示した図である。
【００４６】
図１に示した如く、本発明に係る光ディスク装置１０では、高密度光ディスクの一例としてＢＤ（Ｂｌｕ−ｒａｙ  Ｄｉｓｃ）が流通し始めていることと、既に多くが出回っているＤＶＤ又はＣＤの資産も活用できるように複数種の光ディスクに対して記録又は再生可能に構成されているので、使用勝手の良い光ディスク装置１０をユーザーに提供することができる。
【００４７】
また、上記した本発明に係る光ディスク装置１０では、外装となる箱状の筐体（以下、外装筐体と記す）１１の前面１１ａ側に一の開口部１１ａ１が形成されており、且つ、記録密度が高い超高密度光ディスク（第１の光ディスク）ＢＤを収納したディスクカートリッジＤＣＡと、ＢＤよりも記録密度が低いＤＶＤ又はＣＤなどの裸の光ディスク（第２の光ディスク）Ｄとを選択的に載置するための一のトレイ１２が不図示のローディングモータの駆動力により一の開口部１１ａ１に対して矢印Ｘ１，Ｘ２方向に排出／挿入可能に設けられている。
【００４８】
尚、ディスクカートリッジＤＣＡには、不使用時にＢＤを保護するように閉蓋する一方、使用時にＢＤが露出するよう開蓋するシャッタＳＴが設けられている。
【００４９】
この際、上記したトレイ１２は、前側板部１２ａと左右の側板部１２ｂ，１２ｃとで囲まれた内部上面にディスクカートリッジＤＣＡと裸の光ディスクＤとを選択的に載置する載置部１２ｄが形成されていると共に、載置部１２ｄの内部中央部位に長孔部１２ｅが矢印Ｘ１，Ｘ２方向に沿って貫通して形成されている。
【００５０】
また、上記した本発明に係る光ディスク装置１０では、図２に示した如く、外装筐体１１（図１）内に設けた下シャーシ１３を裏面側から見た時に、下シャーシ１３の略中央部位上にスピンドルモータ１４が取り付けられており、このスピンドルモータ１４のモータ軸にターンテーブル１５が回転可能に固着されているので、スピンドルモータ１４とターンテーブル１５とで光ディスク回転駆動手段が構成されている。
【００５１】
また、下シャーシ１３には、スピンドルモータ１４を挟んで第１，第２開口部１３ａ，１３ｂが貫通して大きく形成されており、且つ、第１開口部１３ａ内をディスクカートリッジＤＣＡ内に収納したＢＤを記録又は再生するためのＢＤ用光ピックアップ（第１の光ピックアップ）１６がＢＤと対向して矢印Ｘ１，Ｘ２方向に掛け渡した第１ガイドレール１７に沿ってＢＤ用光ピックアップ駆動モータ１８に固着した第１リードスクリュー１９の駆動力により移動自在に設けられている一方、第２開口部１３ｂ内をＤＶＤ又はＣＤなどの裸の光ディスクＤを記録又は再生するためのＤＶＤ／ＣＤ兼用光ピックアップ（第２の光ピックアップ）２０が裸の光ディスクＤと対向して矢印Ｘ１，Ｘ２方向に掛け渡した第２ガイドレール２１に沿ってＤＶＤ／ＣＤ兼用光ピックアップ駆動モータ２２に固着した第２リードスクリュー２３の駆動力により移動自在に設けられている。
【００５２】
この際、ＢＤ（図１）の径方向に移動するＢＤ用光ピックアップ１６は、初期時にＢＤの内周側に待機しており、即ち、初期時にスピンドルモータ１４の近傍に待機している。
【００５３】
一方、ＤＶＤ又はＣＤなどの裸の光ディスクＤ（図１）の径方向に移動するＤＶＤ／ＣＤ兼用光ピックアップ１９は、後述するようにディスクカートリッジＤＣＡを載置したトレイ１２（図１）がターンテーブル１５の近傍まで下降した時にディスクカートリッジＤＣＡの下面と衝突しないように、初期時に裸の光ディスクＤ（図１）の外周よりも外側の位置で退避スイッチ２４に当接した状態で退避させており、即ち、初期時にスピンドルモータ１４よりも遠く離れて図示左方に退避させている。
【００５４】
また、図４に示したように、外装筐体１１（図１）内では、下シャーシ（第１のシャーシ）１３に対向して間隔を離した上方に上シャーシ（第２のシャーシ）２５が設けられており、この上シャーシ２５は前方にトレイ挿脱口２５ａが形成されていると共に、下シャーシ１３と上シャーシ２５との間で上シャーシ２５の裏面側に接近して図３（ａ），（ｂ）に示したようなトレイホルダー２６が取り付けられている。
【００５５】
従って、トレイ１２はトレイホルダー２６に案内されながら矢印Ｘ１，Ｘ２方向に往復動可能になっており、トレイ１２を矢印Ｘ１方向に移動させて、上シャーシ２５のトレイ挿脱口２５ａより前方に突出させて光ディスク挿脱位置に至った際に、ＢＤを収納したディスクカートリッジＤＣＡ、又は、ＤＶＤ又はＶＤなどの裸の光ディスクＤがトレイ１２の載置部１２ｄ上に選択的に載置され得る。
【００５６】
尚、図３中に示したディスクカートリッジ有無検出機構３０は、上シャーシ２５及びトレイホルダー２６のうち少なくとも一方に取り付けられているものであり、このディスクカートリッジ有無検出機構３０については後で述べる。
【００５７】
また、図４及び図９に示した如く、上記したトレイ１２は、トレイホルダー２６に沿って外装筐体１１（図１）内の上シャーシ２５の前方に突出した光ディスク挿脱位置と、外装筐体１１（図１）内の下シャーシ１３上に設けたターンテーブル１５の上方位置との間を矢印Ｘ１，Ｘ２方向に水平移動可能になっていると共に、ターンテーブル１５の上方位置とターンテーブル１５に接近した光ディスク記録再生位置との間を矢印Ｙ１，Ｙ２方向に上下動可能になっている。
【００５８】
この際、上記したトレイ１２は、水平移動時にターンテーブル１５との衝突を避けるためにトレイ１２の前側板部１２ａと反対側の後端側の下面を肉抜きした肉抜き部１２ｆが形成されてこの肉抜き部１２ｆ内にターンテーブル１５の進入を許容すると共に、この肉抜き部１２ｆの上面に薄肉部１２ｇが形成され、且つ、前側板部１２ａと後端側との間に形成した長孔部１２ｅ内にターンテーブル１５，ＢＤ用光ピックアップ１６，ＤＶＤ／ＣＤ兼用光ピックアップ２０がそれぞれ進入可能になっている。
【００５９】
更に、図３（ａ），（ｂ）及び図４〜図１１に示したように、上シャーシ２５のトレイ挿脱口２５ａの近傍の裏面側及びトレイホルダー２６の上部に、本発明の要部となるディスクカートリッジ有無検出機構３０が設けられており、このディスクカートリッジ有無検出機構３０によりトレイ１２上に載置したディスクカートリッジＤＣＡの有無を迅速且つ信頼性良く確実に検出できるようになっている。
【００６０】
上記したディスクカートリッジ有無検出機構３０は、図４〜図１１に示したように、上シャーシ２５の裏面に取り付けたディスクカートリッジ検出用スイッチ３１と、トレイホルダー２６の上部に取り付けられてディスクカートリッジ検出用スイッチ３１に押圧可能に接離すると共にトレイ１２上に載置したディスクカートリッジＤＣＡに接離する検出レバー３２と、トレイホルダー２６の上部に横設されて検出レバー３２を上下方向に向かって回動自在に軸支する支持軸３３とで構成されている。
【００６１】
この際、検出レバー３２は、ディスクカートリッジＤＣＡが挿入されていない初期時にディスクカートリッジ検出用スイッチ３１と対向してこのスイッチ３１に押圧可能に接離する上面当接部３２ａがトレイホルダー２６の上面壁部２６ａに当接してそれ以上の下方への移動が規制されているものの、上面当接部３２ａと反対側に一体的に形成した傾斜面部３２ｂと下面当接部３２ｃとがトレイ１２上に載置したディスクカートリッジＤＣＡと対向して接離可能になっていると共に、初期時に傾斜面部３２ｂと下面当接部３２ｃとが自重により支持軸３３を中心にして下方（矢印方向）に向かって垂れ下がっている。
【００６２】
尚、この実施例では、ディスクカートリッジ検出用スイッチ３１を上シャーシ２５に取り付け、検出レバー３２をトレイホルダー２６に取り付けているが、両者３１，３２を上シャーシ２５及びトレイホルダー２６の少なくとも一方に取り付けても良い。
【００６３】
尚、更に、この実施例では、上シャーシ２５に取り付けた支持軸３３を中心にして上下方向に回動する検出レバー３２の動きをディスクカートリッジ検出用スイッチ３１で検出しているが、検出レバー３２の動きを周知のホトセンサなどを用いた検出器で検出することも可能である。
【００６４】
ここで、上記構成による本発明に係る光ディスク装置１０の動作について図４〜図１１を用いて動作順に説明する。
【００６５】
まず、ディスクカートリッジＤＣＡ内に収納したＢＤに対してＢＤ用光ピックアップ１６により記録又は再生する場合には、図４に示した如く、トレイ１２を矢印Ｘ１方向に水平移動して上シャ−シ２５のトレイ挿脱口２５ａの前方に突出させた後に、この光ディスク挿脱位置でディスクカートリッジＤＣＡをトレイ１２の載置部１２ｄ上に載置している。
【００６６】
この際、ＢＤ用光ピックアップ１６は初期時にスピンドルモータ１４の近傍でＢＤの内周側に待機している一方、ＤＶＤ／ＣＤ兼用光ピックアップ２０はスピンドルモータ１４から離れ且つ裸の光ディスクＤの外周よりも外側の位置で退避スイッチ２４に当接した状態で退避している。
【００６７】
また、上シャーシ２５及びトレイホルダー２６の上部に取り付けたディスクカートリッジ有無検出機構３０の検出レバー３２は、この上面当接部３２ａがトレイホルダー２６の上面壁部２６ａに当接しているのでそれ以上の下方への移動が規制されているものの、検出レバー３２は支持軸３３を中心にして下方（矢印方向）に垂れ下がっていると共に、この検出レバー３２はトレイ１２上に載置したディスクカートリッジＤＣＡの先端に当接していないので、検出レバー３２の上面当接部３２ａは上シャーシ２５に取り付けたディスクカートリッジ検出用スイッチ３１から離れている。従って、この段階では、ディスクカートリッジ検出用スイッチ３１からの信号がディスクカートリッジ無しの状態である。
【００６８】
この後、図５に示した如く、図４に示した光ディスク挿脱位置からディスクカートリッジＤＣＡを載置したトレイ１２を矢印Ｘ２方向に向かって水平移動させると、ディスクカートリッジＤＣＡの先端にディスクカートリッジ有無検出機構３０の検出レバー３２の傾斜面部３２ｂが当接開始する。
【００６９】
更にこの後、図６に示した如く、ディスクカートリッジＤＣＡを載置したトレイ１２を矢印Ｘ２方向に向かって更に水平移動させると、ディスクカートリッジＤＣＡの上面にディスクカートリッジ有無検出機構３０の検出レバー３２の下面当接部３２ｃが当接しているために、検出レバー３２は押し上げられて支持軸３３を中心にして上方（矢印方向）に回動するので、検出レバー３２の上面当接部３２ａが上シャーシ２５に取り付けたディスクカートリッジ検出用スイッチ３１を押圧する。従って、ディスクカートリッジ検出用スイッチ３１により直ちにディスクカートリッジ有りを検出している。
【００７０】
そして、ディスクカートリッジ検出用スイッチ３１によりディスクカートリッジ有りを検出した後に、図７に示した如く、トレイ１２上に載置したディスクカートリッジＤＣＡ内のＢＤの中心がターンテーブル１５の上方に位置するようにトレイ１２をより更に矢印Ｘ２方向に水平移動する。ここでも、ディスクカートリッジＤＣＡの上面にディスクカートリッジ有無検出機構３０の検出レバー３２の下面当接部３２ｃが当接しているために、ディスクカートリッジ検出用スイッチ３１によりディスクカートリッジ有りを検出している。
【００７１】
更にこの後、図８に示した如く、ディスクカートリッジＤＣＡを載置したトレイ１２をターンテーブル１５の近傍まで矢印Ｙ２方向に下降させると共に、ディスクカートリッジＤＣＡに設けたシャッタＳＴ（図１）を開いて、ディスクカートリッジＤＣＡ内に収納したＢＤをターンテーブル１５上に装着している。
【００７２】
そして、トレイ１２がターンテーブル１５に接近した光ディスク記録再生位置に至った時に、トレイ１２の長孔部１２ｅ内に臨んだＢＤ用光ピックアップ１６は初期時にＢＤの内周側に待機しているで、このＢＤ用光ピックアップ１６によりＢＤの下面側の信号面を直ちに記録開始又は再生開始できる。この際、ＤＶＤ／ＣＤ兼用光ピックアップ２０はスピンドルモータ１４から離れて左方の位置で退避スイッチ２４に当接した状態で退避しているので、何らの支障も生じない。
【００７３】
次に、ＤＶＤ又はＣＤなどの裸の光ディスクＤに対してＤＶＤ／ＣＤ兼用光ピックアップ２０により記録又は再生する場合には、図９に示した如く、トレイ１２を矢印Ｘ１方向に水平移動して上シャ−シ２５のトレイ挿脱口２５ａの前方に突出させた後に、この光ディスク挿脱位置で裸の光ディスクＤをトレイ１２の載置部１２ｄ上に載置している。
【００７４】
この場合も、上シャーシ２５及びトレイホルダー２６の上部に取り付けたディスクカートリッジ有無検出機構３０の検出レバー３２は、この上面当接部３２ａがトレイホルダー２６の上面壁部２６ａに当接しているのでそれ以上の下方への移動が規制されているものの、検出レバー３２は支持軸３３を中心にして下方（矢印方向）に垂れ下がっていると共に、この検出レバー３２はトレイ１２上に載置した裸の光ディスクＤから離れている。即ち、トレイ１２上に裸の光ディスクＤを載置した場合には、ディスクカートリッジ検出用スイッチ３１がＯＮ動作することはないと共に、トレイ１２上に何も載置しなかった場合でもディスクカートリッジ検出用スイッチ３１がＯＮ動作することはないので、裸の光ディスクＤを載置した場合と何も載置しなかった場合は共にトレイ１２のローディング動作が同じになるようにしている。
【００７５】
そして、裸の光ディスクＤをトレイ１２上に載置した場合には、トレイ１２が上シャ−シ２５のトレイ挿脱口２５ａの前方に突出した光ディスク挿脱位置から矢印Ｘ２方向に移動して所定時間経過した後もディスクカートリッジ検出用スイッチ３１からの信号がＯＦＦ状態であると検出することで、裸の光ディスクＤがトレイ１２上に載置されていると判断している。
【００７６】
この後、図１０に示した如く、トレイ１２上に載置した裸の光ディスクＤの中心がターンテーブル１５の上方に位置するようにトレイ１２を矢印Ｘ２方向に向かって水平移動すると共に、このトレイ１２の水平移動の際中に左方に退避しているＤＶＤ／ＣＤ兼用光ピックアップ２０をスピンドルモータ１４の近傍まで直ちに移動させて、裸の光ディスクＤの内周側と対向する位置で待機させている。
【００７７】
更にこの後、図１１に示した如く、裸の光ディスクＤを載置したトレイ１２をターンテーブル１５の近傍まで矢印Ｙ２方向に下降させて、裸の光ディスクＤをトレイ１２の載置部１２ｄ上から浮かせてターンテーブル１５上に装着している。
【００７８】
そして、トレイ１２がターンテーブル１５に接近した光ディスク記録再生位置に至った時に、ＤＶＤ／ＣＤ兼用光ピックアップ２０がトレイ１２の長孔部１２ｅ内に既に臨んでいるので、裸の光ディスクＤの内周側からこの下面の信号面をＤＶＤ／ＣＤ兼用光ピックアップ２０により直ちに記録開始又は再生開始できる。
【００７９】
次に、ＢＤ用光ピックアップ１６と、ＤＶＤ／ＣＤ兼用光ピックアップ２０とを選択的に動作させる場合について、図２と新たな図１２とを用いて説明する。
【００８０】
図１２は本発明に係る光ディスク装置において、ＢＤ用光ピックアップと、ＤＶＤ／ＣＤ兼用光ピックアップとを選択的に動作させる場合を説明するために模式的に示したブロック図である。
【００８１】
図１２に示した如く、不図示のローディング釦を押した時に、上シャーシ２５（図３）に設けたディスクカートリッジ検出用スイッチ３１からＯＦＦ信号が制御回路４１に入力されているので、ローディングモータドライバ４２を介してローディングモータ４３によりトレイ１２を外装筐体１１の前方に突出させる。
【００８２】
この後、トレイ１２上にディスクカートリッジＤＣＡを載置した場合には、トレイ１２が外装筐体１１内を水平移動してディスクカートリッジＤＣＡに検出レバー３２が当接したときにディスクカートリッジ検出用スイッチ３１からＯＮ信号が制御回路４１に直ちに入力され、ディスクカートリッジＤＣＡを載置したトレイ１２がターンテーブル１５側に下降してディスクカートリッジＤＣＡ内のＢＤをターンテーブル１５上に装着した後に、ＢＤ用光ピックアップ駆動モータドライバ４４を介してＢＤ用光ピックアップ駆動モータ１８によりＢＤ用光ピックアップ１６を動作させている。
【００８３】
一方、トレイ１２上に裸の光ディスクＤを載置した場合には、トレイ１２が外装筐体１１の前方に突出した光ディスク挿脱位置から外装筐体１２内を水平移動して所定時間経過した後でもディスクカートリッジ検出用スイッチ３１からＯＦＦ信号が制御回路４１に入力されているので、トレイ１２上に裸の光ディスクＤが載置されたと判断し、トレイ１２の水平移動中にＤＶＤ／ＣＤ兼用光ピックアップ駆動モータドライバ４５を介してＤＶＤ／ＣＤ兼用光ピックアップ駆動モータ２２により退避中のＤＶＤ／ＣＤ兼用光ピックアップ２０をスピンドルモータ１４側に移動させる。そして、裸の光ディスクＤを載置したトレイ１２がターンテーブル１５側に下降して裸の光ディスクＤをターンテーブル１５上に装着した後に、ＤＶＤ／ＣＤ兼用光ピックアップ駆動モータドライバ４５を介してＤＶＤ／ＣＤ兼用光ピックアップ駆動モータ２２によりＤＶＤ／ＣＤ兼用光ピックアップ２０を動作させている。
【００８４】
これにより、トレイ１２が外装筐体１１内を水平移動した後に下降してターンテーブル１５に接近した光ディスク記録再生位置に至った後に、ディスクカートリッジＤＣＡ内に収納したＢＤに対してＢＤ用光ピックアップ１６を直ちに動作開始させることができると共に、ＤＶＤ又はＣＤなどの裸の光ディスクＤに対してＤＶＤ／ＣＤ兼用光ピックアップ２０を直ちに動作開始させることができるので、操作性能の良い光ディスク装置１０を提供することができる。
【００８５】
尚、ＤＶＤ／ＣＤ兼用光ピックアップ２０は、前述したように初期時にスピンドルモータ１４から遠く離れた位置に退避して退避検出スイッチ２４に当接しているものの、トレイ１２上にディスクカートリッジＤＣＡを載置した時にＤＶＤ／ＣＤ兼用光ピックアップ２０が退避位置にいない場合には、退避検出スイッチ２４からＯＦＦ信号が制御回路４１に入力されるので、ＤＶＤ／ＣＤ兼用光ピックアップ駆動モータドライバ４５を介してＤＶＤ／ＣＤ兼用光ピックアップ駆動モータ２２によりＤＶＤ／ＣＤ兼用光ピックアップ２０を退避位置に移動させるように指令すれば良い。
【００８６】
この際、ＤＶＤ／ＣＤ兼用光ピックアップ２０の退避位置への移動が遅くなりそうな時には、制御回路４１でディスクカートリッジＤＣＡを載置したトレイ１２の移動を減速指令又は停止指令を発し、ローディングモータ４３の送り速度を調整し、トレイ１２のローディング完了前にＤＶＤ／ＣＤ兼用光ピックアップ２０の退避位置への移動を完了させれば良い。
【００８７】
上記した実施例では、トレイ１２上に、ＢＤを収納したディスクカートリッジＤＣＡと、ＤＶＤ又はＣＤなどの光ディスクＤとを選択的に載置する場合について説明したが、トレイ１２上に、光ディスクを収納したディスクカートリッジのみを載置する場合でも、トレイ１２の水平移動中にディスクカートリッジの有無を本発明の要部となるディスクカートリッジ検出機構３０により迅速且つ信頼性良く確実に検出するように構成しても良いものである。この場合に、実施例では、外装筐体内でトレイを水平移動させた後にターンテーブル側に下降させているが、これとは異なって、トレイを水平移動させた後にターンテーブルの上方位置に停止させてターンテーブル及び光ピックアップを保持したトラバース機構（図示せず）をトレイ側に向かって上昇させることでも良いものである。
【図面の簡単な説明】
【００８８】
【図１】本発明に係る光ディスク装置を示した外観斜視図である。
【図２】本発明に係る光ディスク装置において、下シャーシ側を裏面から見た斜視図である。
【図３】（ａ），（ｂ）はＢＤを収納したディスクカートリッジと、ＤＶＤ又はＣＤなどの裸の光ディスクとをトレイ上にそれぞれ載置した状態を示した斜視図である。
【図４】本発明に係る光ディスク装置において、外装筐体の前面側に突出したトレイ上にＢＤを収納したディスクカートリッジを載置した第１態様を示した図である。
【図５】本発明に係る光ディスク装置において、ＢＤを収納したディスクカートリッジを載置したトレイを外装筐体内で矢印Ｘ２方向に水平移動した時に、ディスクカートリッジの先端にディスクカートリッジ有無検出機構の検出レバーが当接開始した第２態様を示した図である。
【図６】本発明に係る光ディスク装置において、ＢＤを収納したディスクカートリッジを載置したトレイを外装筐体内で矢印Ｘ２方向に更に水平移動した時に、ディスクカートリッジの上面にディスクカートリッジ有無検出機構の検出レバーが当接している第３態様を示した図である。
【図７】本発明に係る光ディスク装置において、トレイ上に載置したディスクカートリッジ内のＢＤの中心が外装筐体内に設けたターンテーブルの上方に位置するようにトレイを水平移動した第４態様を示した図である。
【図８】本発明に係る光ディスク装置において、ＢＤを収納したディスクカートリッジを載置したトレイをターンテーブルの近傍まで下降させた後にＢＤをターンテーブル上に装着して、ＢＤに対してＢＤ用光ピックアップにより記録又は再生する第５態様を示した図である。
【図９】本発明に係る光ディスク装置において、外装筐体の前面側に突出したトレイ上にＤＶＤ又はＣＤなどの裸の光ディスクを載置した第６態様を示した図である。
【図１０】本発明に係る光ディスク装置において、トレイ上に載置したＤＶＤ又はＣＤなどの裸の光ディスクの中心が外装筐体内に設けたターンテーブルの上方に位置するようにトレイを水平移動した第７態様を示した図である。
【図１１】本発明に係る光ディスク装置において、ＤＶＤ又はＣＤなどの裸の光ディスクを載置したトレイをターンテーブルの近傍まで下降させた後に裸の光ディスクをターンテーブル上に装着して、裸の光ディスクに対してＤＶＤ／ＣＤ兼用光ピックアップにより記録又は再生する第８態様を示した図である。
【図１２】本発明に係る光ディスク装置において、ＢＤ用光ピックアップと、ＤＶＤ／ＣＤ兼用光ピックアップとを選択的に動作させる場合を説明するために模式的に示したブロック図である。
【図１３】従来例１の光ディスク装置を示した外観斜視図である。
【図１４】従来例２の光ディスク装置を示した外観斜視図である。
【図１５】従来例２の光ディスク装置において、外装筐体の前面側に突出したトレイ上にＢＤを収納したディスクカートリッジを載置した第１態様を示した図である。
【図１６】従来例２の光ディスク装置において、トレイ上に載置したディスクカートリッジ内のＢＤの中心が外装筐体内に設けたターンテーブルの上方に位置するようにトレイを水平移動した第２態様を示した図である。
【図１７】従来例２の光ディスク装置において、ＢＤを収納したディスクカートリッジを載置したトレイをターンテーブルの近傍まで下降させた後にＢＤをターンテーブル上に装着して、ＢＤに対してＢＤ用光ピックアップにより記録又は再生する第３態様を示した図である。
【図１８】従来例２の光ディスク装置において、外装筐体の前面側に突出したトレイ上にＤＶＤ又はＣＤなどの裸の光ディスクを載置した第４態様を示した図である。
【図１９】従来例２の光ディスク装置において、トレイ上に載置したＤＶＤ又はＣＤなどの裸の光ディスクの中心が外装筐体内に設けたターンテーブルの上方に位置するようにトレイを水平移動した第５態様を示した図である。
【図２０】従来例２の光ディスク装置において、ＤＶＤ又はＣＤなどの裸の光ディスクを載置したトレイをターンテーブルの近傍まで下降させた後に裸の光デブロックィスクをターンテーブル上に装着して、裸の光ディスクに対してＤＶＤ／ＣＤ兼用光ピックアップにより記録又は再生する第６態様を示した図である。
【符号の説明】
【００８９】
１０…光ディスク装置、
１１…筐体（外装筐体）、１１ａ…前面、１１ａ１…開口部、
１２…トレイ、１２ａ…前側板部、１２ｂ，１２ｃ…左右の側板部、
１２ｄ…載置部、１２ｅ…長孔部、１２ｆ…肉抜き部、１２ｇ…薄肉部、
１３…第１のシャーシ（下シャーシ）、１３ａ，１３ｂ…第１，第２開口部、
１４，１５…光ディスク回転駆動手段、
１４…スピンドルモータ、１５…ターンテーブル、
１６…第１の光ピックアップ（ＢＤ用光ピックアップ）、１７…第１ガイドレール、
１８…ＢＤ用光ピックアップ駆動モータ、１９…第１リードスクリュー、
２０…第２の光ピックアップ（ＤＶＤ／ＣＤ兼用光ピックアップ）、
２１…第２ガイドレール、
２２…ＤＶＤ／ＣＤ兼用光ピックアップ駆動モータ、２３…第２リードスクリュー、
２４…退避スイッチ、
２５…第２のシャーシ（上シャーシ）、２５ａ…トレイ挿脱口、
２６…トレイホルダー、２６ａ…上面壁部、
３０…ディスクカートリッジ有無検出機構、
３１…ディスクカートリッジ検出用スイッチ、
３２…検出レバー、３２ａ…上面当接部、３２ｂ…傾斜面部、３２ｃ…下面当接部、
３３…支持軸、
４１…制御回路、４２…ローディングモータドライバ、４３…ローディングモータ、
４４…ＢＤ用光ピックアップ駆動モータドライバ、
４５…ＤＶＤ／ＣＤ兼用光ピックアップ駆動モータドライバ、
ＢＤ…第１の光ディスク（超高密度光ディスク）、
Ｄ…第２の光ディスク（ＤＶＤ又はＣＤなどの裸の光ディスク）、
ＤＣＡ…ディスクカートリッジ、ＳＴ…シャッタ。
【図１】
2008299947.tif 000003
【図２】
2008299947.tif 000004
【図３】
2008299947.tif 000005
【図４】
2008299947.tif 000006
【図５】
2008299947.tif 000007
【図６】
2008299947.tif 000008
【図７】
2008299947.tif 000009
【図８】
2008299947.tif 000010
【図９】
2008299947.tif 000011
【図１０】
2008299947.tif 000012
【図１１】
2008299947.tif 000013
【図１２】
2008299947.tif 000014
【図１３】
2008299947.tif 000015
【図１４】
2008299947.tif 000016
【図１５】
2008299947.tif 000017
【図１６】
2008299947.tif 000018
【図１７】
2008299947.tif 000019
【図１８】
2008299947.tif 000020
【図１９】
2008299947.tif 000021
【図２０】
2008299947.tif 000022